(57)【特許請求の範囲】
【請求項１】
左右に立設した支柱の上下方向に列設された係止孔に、後端にフックを有する左右一対のブラケットを係止し、該ブラケットにより前後方向に複数の物品を載置可能な棚板を支持してなる物品棚における物品落下防止装置であって、
前記物品落下防止装置は、前記左右の支柱の上下方向に列設された係止孔に係止可能なフックを備える左右一対のブラケット部材と、該左右一対のブラケット部材から前方に延び、前記物品棚に陳列される物品を前方と両側方から囲繞する囲繞部材と、前記囲繞部材の少なくとも２箇所に取付けられ、該取付け位置が調節可能になっており、長手方向に沿って屈曲された略板状の横架部材と、を備えることを特徴とする物品落下防止装置。
【請求項２】
前記囲繞部材が、左右一対のブラケット部材から前方へ延びる延出片と該延出片同士を前方位置で連結する連結片とからなり、該延出片には長手方向に複数の横架部材取付け凹部が設けられており、前記延出片に対する前記横架部材の取付け位置を適宜選定できるようになっていることを特徴とする請求項１に記載の物品落下防止装置。
【請求項３】
前記横架部材は、物品に対して後方に傾斜する物品対向面を有していることを特徴とする請求項１または２に記載の物品落下防止装置。
【発明の詳細な説明】
【技術分野】
【０００１】
本発明は、スーパーマーケットやコンビニエンスストア及び倉庫等で飲料などの容器を陳列または収納する物品棚における物品落下防止装置に関する。
【背景技術】
【０００２】
従来、スーパーマーケットやコンビニエンスストア等で用いられる物品を陳列する物品棚として、平常時は物品の出し入れに支障がなく物品の展覧ができ、且つ地震などの震動による物品の落下を防止することができる物品落下防止装置がある（例えば、特許文献１、特許文献２参照）。
【先行技術文献】
【特許文献】
【０００３】
【特許文献１】特許第２８２６８１１号公報
【特許文献２】特開２００７−８２７７９号公報
【発明の概要】
【発明が解決しようとする課題】
【０００４】
しかしながら前記特許文献１に記載されている物品落下防止装置にあっては、感震振り子を利用し、この感震振り子の振動で支持機構の係合を外し、水平部材が上方に移動して落下防止装置として作動する構造になっているため、物品の出し入れに支障はないものの、係合装置と感震手段とを別々に備えなければならないといった複雑な構造であり、取扱いが煩雑になるばかりか、部品点数が増加し、製造コストが高い割には十分な落下防止効果を発揮できない。また、前記特許文献２に記載されている物品落下防止装置にあっては、前方に落下防止板が設けられており、簡素化された構造でありながら物品の落下を防止するには効果があるものの、左右方向の揺れや上下方向の揺れに対して、または各種サイズの物品に対して落下防止効果を十分に発揮するとはいえないものである。
【０００５】
本発明は、このような問題点に着目してなされたもので、地震などの左右方向の揺れや上下方向の揺れに対して物品の移動を効果的に規制し、物品棚からの物品の落下を防止することができるとともに、陳列または収納される各種サイズの物品に対応可能な物品落下防止装置を提供することを目的としている。
【課題を解決するための手段】
【０００６】
前記課題を解決するために、本発明の物品落下防止装置は、
左右に立設した支柱の上下方向に列設された係止孔に、後端にフックを有する左右一対のブラケットを係止し、該ブラケットにより前後方向に複数の物品を載置可能な棚板を支持してなる物品棚における物品落下防止装置であって、
前記物品落下防止装置は、前記左右の支柱の上下方向に列設された係止孔に係止可能なフックを備える左右一対のブラケット部材と、該左右一対のブラケット部材から前方に延び、前記物品棚に陳列される物品を前方と両側方から囲繞する囲繞部材と、前記囲繞部材の少なくとも２箇所に取付けられ、該取付け位置が調節可能になっており、長手方向に沿って屈曲された略板状の横架部材と、を備えることを特徴としている。
この特徴によれば、上下方向に列設された係止孔を有する前記支柱に対して、囲繞部材の上下位置を適宜物品の高さに合わせて選択可能であることから、種々の高さの物品の転倒や落下を効果的に防止できる。さらに前記囲繞部材に対して横架部材の取付け位置を変更し、前記囲繞部材と横架部材とで物品棚に載置されている物品設置領域を絞り込むことにより、地震などの多方向の揺れに対して物品の移動を効果的に規制し、物品棚からの物品の落下を防止することができる。
【０００７】
本発明の物品落下防止装置は、
前記囲繞部材が、左右一対のブラケット部材から前方へ延びる延出片と該延出片同士を前方位置で連結する連結片とからなり、該延出片には長手方向に複数の横架部材取付け凹部が設けられており、前記延出片に対する前記横架部材の取付け位置を適宜選定できるようになっていることを特徴としている。
この特徴によれば、横架部材は、延出片に複数設けられる横架部材取付け凹部に適宜取付けられるため、囲繞部材に対し強固に取付け可能であるとともに、物品設置領域の調整作業が容易となる。
前記横架部材は、物品に対して後方に傾斜する物品対向面を有していることを特徴としている。
この特徴によれば、物品対向面が傾斜していることから棚板に対して上方から物品を容易に陳列できる。
【図面の簡単な説明】
【０００８】
【図１】実施例１における物品落下防止装置が取付けられた物品棚の設置状況を示す斜視図である。
【図２】物品落下防止装置の構成を示す斜視図である。
【図３】横架部材取付け凹部と横架部材における係合部の係合を示す側面図である。
【図４】横架部材取付け凹部と横架部材における係合部の係合を示す斜視図である。
【図５】物品落下防止装置の使用例を示す斜視図である。
【図６】実施例２における物品落下防止装置の使用例を示す斜視図である。
【発明を実施するための形態】
【０００９】
本発明に係る物品棚における物品落下防止装置を実施するための形態を実施例に基づいて以下に説明する。
【実施例１】
【００１０】
実施例に係る物品棚における物品落下防止装置につき、図１〜図３を参照して説明する。図１〜図３の符号１は、物品棚８に取付けて使用する物品落下防止装置である。この物品落下防止装置１の使用例を図１に基づいて説明すると、物品棚８は、ここでは図示しないベース脚とその両側後端に起立し、前面に複数の係止孔１０を有した支柱９と、左右一対のブラケット部材１２に支持された数枚の棚板１１及びストッパー１３により構成されている。なお、本実施例における物品Ｂ，Ｂ…は、上部に胴体部分Ｂｂよりくびれた首部Ｂａを有する飲料等を封入した瓶等のボトル容器であり、ここではボトル容器を例に説明するものとする。
【００１１】
図１、図２に示されるように、物品落下防止装置１は、物品棚８に陳列される物品Ｂを前方と両側方から囲繞する囲繞部材２と、この囲繞部材２に位置調節可能に取付けられる横架部材６によって構成されている。この囲繞部材２と横架部材６とで物品棚８に載置されている物品Ｂの設置領域を絞り込むことにより、地震などの多方向の揺れに対して物品の移動を効果的に規制し、物品棚８からの物品Ｂの落下を防止することができるようになっている。
【００１２】
図１に示されるように、この物品落下防止装置１は、物品棚８の棚板１１上の物品Ｂの落下等に対応できる物品Ｂの高さの中心より上方に位置するように位置決めされている。より詳しくは、囲繞部材２は、左右の支柱９，９の係止孔１０，１０…にフック３，３…（図２参照）を用いて係止される延出片４，４を左右にそれぞれ有しており、この囲繞部材２は、支柱９，９の係止孔１０，１０…の係止位置を適宜物品の高さに合わせて選択することで囲繞部材２の高さを調節できるようになっている。
【００１３】
図２は、物品落下防止装置１の構成を詳述した図であり、まず囲繞部材２を説明すると、囲繞部材２は、後端に支柱９の前面に列設された係止孔１０に係止可能なフック３，３を有する左右一対のブラケット部材３０，３０からそれぞれ延出する延出片４，４と、連結片５とから主に構成されており、この連結片５は、延出片４，４の前端部に両者を連結するように固着されている。また、延出片４，４は長手方向に複数の横架部材取付け凹部７，７…が均等間隔で設けられており、この横架部材取付け凹部７，７…に、後述する横架部材６の係合部１４，１４が係合される。なお、横架部材取付け凹部７，７…は格別均等間隔である必要はなく、載置される物品Ｂ，Ｂ…や、棚の形状に合わせて適宜間隔や形状を変更することができる。
【００１４】
また、本実施例に示す横架部材取付け凹部７は、図３に示すように、上方より斜め前方に向けたスリット状に形成されており、この横架部材取付け凹部７に後述する横架部材６の突出片１６が嵌入されることになる。この実施例のように斜め方向にスリットを刻設することにより、横架部材４の強度を落とすことなく比較的長い凹部の形成が可能になる。また比較的長い凹部はその内側面と、後述するような横架部材６の突出片１６の外側面との摺接距離を長くする効果もあり、地震などの震動が生じる場合において係合が外れにくい構造にできる。
【００１５】
続いて、横架部材６についてさらに説明すると、図４に示すように、横架部材６は、金属板の切屈曲、切欠に加工により製造されており、前記囲繞部材２の延出片４，４同士の間隔に合わせてほぼ同寸に形成されている（図１参照）。また、横架部材６は、囲繞部材２に取付けられた際に物品Ｂに対向し後方に傾斜する物品対向面６０を有している。また横架部材６の下部には後方に向け屈曲される屈曲片１５が設けられ、横架部材６事態の曲げ強度が高められている。さらに物品対向面６０の幅方向両端部には係合部１４が設けられており、これら係合部１４は、物品対向面６０の端部より僅かに左右外側に突出する突出片１６と、後方に向けて屈曲される係止片１７とを有している。なお、横架部材６の上部には後方へ斜めに屈曲して設けられる把持片１８が設けられており、この把持片１８は前記物品対向面６０より更に傾斜し、陳列作業者による把持片１８の取扱いを容易にしている。
【００１６】
図４に示すように、横架部材６が突出部１６により横架部材取付け凹部７に嵌合支持される際、屈曲片１５の外側面１５ａおよび把持片１８の外側面１８ａが、係止片１７の内側面１７ａに対向するように延出片４を挟み込むことになり、左右方向へ抜け止め力が高められる。
【００１７】
物品落下防止装置１の使用例を図５を用いて説明すると、物品Ｂ，Ｂ…が取り出され、物品棚８の棚板１１上に陳列された数が減少した場合、陳列作業者は、物品Ｂ，Ｂ…を前出しした後、横架部材６の係合位置を横架部材取付け凹部７Ａ，７Ａより７Ｂ，７Ｂへ付け替え、物品設置領域の調整を行うことが望ましく、これにより物品Ｂ，Ｂ…の移動可能領域を減らし、地震などの多方向の揺れに対して物品Ｂ，Ｂ…の移動を効果的に規制し、物品棚８からの落下を防止することができる。
【００１８】
すなわち、延出片４，４、横架部材６、さらには連結片５により物品Ｂ，Ｂ…の左右方向、及び前後方向への移動範囲が絞られ、この絞り効果と物品Ｂ，Ｂ…同士の干渉力とが相俟って、物品Ｂ，Ｂ…の転倒、落下が効果的に防止できることになる。
【実施例２】
【００１９】
次に、実施例２に係る物品落下防止装置につき、図６を参照して説明する。尚、前記実施例と同一構成で重複する構成を省略する。
【００２０】
図６は、物品落下防止装置１００の使用例の一例であり、物品落下防止装置１００の横架部材６１は、ゴムなどの伸縮性及び弾性を有する弾性部材６１により主に形成されており、弾性部材６１ａの幅方向両端には実施例１における横架部材６の両端部分と同形状の係合部１４がそれぞれ設けられている。このような実施例２に係る物品落下防止装置を利用する場合、弾性部材６１ａが伸縮自在であることから、横架部材６１の一方の係合部１４０は横架部材取付け凹部７Ａに係合させたまま、他方の係合部１４０を横架部材取付け凹部７Ｃに係合することができる。これによれば、数の減少した物品Ｂ，Ｂ…の配置領域を減少させるように、各係合部１４０の横架部材取付け凹部７との係合位置を適宜調節可能であるため、物品Ｂ，Ｂ…の陳列整理の手間を省いて物品設置領域を絞り込むことができる。
【００２１】
以上、本発明の実施例を図面により説明してきたが、具体的な構成はこれら実施例に限られるものではなく、本発明の要旨を逸脱しない範囲における変更や追加があっても本発明に含まれる。
【符号の説明】
【００２２】
１                物品落下防止装置
２                囲繞部材
３                フック
４                延出片
５                連結片
６                横架部材
７                横架部材取付け凹部
８                物品棚
９                支柱
１０              係止孔
１１              棚板
１２              ブラケット
１３              ストッパー
１４              係合片（折曲片）
１６              突出部
１７              係止片
１８              把持片
６０              物品対向面
Ｂ                物品
【図１】
0005981209.tif 000002
【図２】
0005981209.tif 000003
【図３】
0005981209.tif 000004
【図４】
0005981209.tif 000005
【図５】
0005981209.tif 000006
【図６】
0005981209.tif 000007